(57)【要約】【課題】収納容器や蓋体がそれ自体優れた質感、透明感および高級感を具現でき、収納されたオルゴールとともに内部の宝飾品或いは身装品などを外部から容易に透視可能にする。【解決手段】収納容器１２および蓋体１３を透明プラスチックによって構成し、前記収納容器１２内に透明プラスチックの隔成板２９によって小物類収納室１４およびオルゴール設置室１５を隔成し、このうちオルゴール設置室１５にオルゴール１７を設置したものである。【選択図】図１
0003118909.tif 000002
【実用新案登録請求の範囲】
【請求項１】
収納容器の上面を覆うように、開閉自在に蓋体を装着した小物入れであって、
前記小物入れが全体を透明なプラスチック樹脂でグランドピアノの形態に形成すると共に、前記収納容器内を、隔成板により小物類の収納が可能な小物類収納室と、オルゴールを設置したオルゴール設置室に隔成されて構成され、
前記蓋体を開放するとオルゴールが駆動してメロディー音を奏でるとともに、収納されている小物の出し入れ可能としたことを特徴とする小物入れ。
【請求項２】
前記収納容器が、グランドピアノの拡張部に形成される前記小物類収納室と、絞り部に形成されるオルゴール設置室とに区画されていることを特徴とする請求項１に記載の小物入れ。
【請求項３】
前記蓋体は、開かれると支持棒で、傾斜して固定され、前記オルゴール音を反射させる反響板を形成することを特徴とする請求項１に記載の小物入れ。
【考案の詳細な説明】
【技術分野】
【０００１】
本考案は、透明な素材で形成される収納容器に、この上面を覆う透明な素材の蓋体を開閉自在に取り付けた小物入れに係り、特に、蓋体の開閉でオルゴールが駆動してメロディー音が奏でる宝飾品、あるいは身装品などの中身透視型の小物入れに関する。
【背景技術】
【０００２】
今日では、子供から大人まで、日常的に身体や着衣に着けて使用する指輪、ブレスレット、髪飾りなどの宝飾品、あるいは身装品を収納するための小物入れを、使用している。この小物入れは、前記小物を収納するケースと、このケースに対し開閉自在に取り付けられた防塵目的のカバーとからなる。
【０００３】
このような小物入れは、外観上の高級感を付与するために、容器や蓋の表面に、特殊な装飾加工、例えば着色塗料を塗布したり、レザーや特殊織りの布を貼り付けたりして、デザイン性を高め、美観、高級感を付与している。
【０００４】
一方、前記のような各種の装飾を施すほかに、前記小物入れ容器にオルゴールを並置した小物入れも提案されている（例えば、特許文献１参照）。このオルゴールを持つ小物入れでは、宝飾品あるいは身装品などをケースから取り出すためにカバーを開いた際、オルゴールが駆動してメロディー音が奏でられる。このため、小物入れの使用者を初め、周辺の人の心を和ませることができる。
【特許文献１】特開平１１−２１２５４９号公報
【考案の開示】
【考案が解決しようとする課題】
【０００５】
しかしながら、このようなオルゴール付きの高級小物入れにあっては、前記小物容器や装飾蓋の表面に各種の装飾が施されているので、中身にどのような小物が収納されていのか、カバーを開かないと判らない。また、その装飾の加工状態や貼りつけ状態が月日とともに劣化しあるいは変色し、次第に飽きがきてしまうほか、高級感が薄れてしまう。このため小物入れを新調することになるが、この場合には、物的、金銭的無駄を生じてしまう。
【０００６】
本考案は、前記のような従来の問題点を解決するためになされたものであり、収納している小物を常に透視することが出来るだけでなく、プラスチック樹脂で容器を比較的安価に得られる。また、開閉と同時にメロディーが奏でることによって、心を和ませる。更に収納容器の外観に、蓋に特別の装飾を施さなくても、長年に亘り清潔感、高級感および美観を維持できるオルゴール付きの小物入れを提供することを目的とする。
【課題を解決するための手段】
【０００７】
前記目的達成のために請求項１は、収納容器の上面を覆うように、開閉自在に蓋体を装着した小物入れであって、前記小物入れが全体を透明なプラスチック樹脂でグランドピアノの形態に形成すると共に、前記収納容器内を、隔成板により小物類の収納が可能な小物類収納室と、オルゴールを設置したオルゴール設置室に隔成されて構成され、前記蓋体を開放するとオルゴールが駆動してメロディー音を奏でるとともに、収納されている小物の出し入れ可能としたことを特徴とする。
【０００８】
この構成により、所定の厚みを持つ透明プラスチックの収納容器や蓋体がそれ自体優れた質感、透明感および高級感を具現し、オルゴール設置室に設置されたオルゴールとともに、小物類収納室に収納された宝飾品などが外部から容易に透視可能となる。このため、使用しょうとする宝飾品或いは身装品を速やかに探し当てることができるほか、収納容器や蓋体自体の品質劣化や変色、褪色の発生がなく、また飽きることなく半永久的使用が可能になる。
【０００９】
また、前記収納容器は隔成されて、オルゴール設置室が設けられ、オルゴールが設置されているので、前記蓋体を上方に開放するとオルゴールが駆動してメロディー音を奏でるとともに、閉じるとオルゴールが停止する。このため、使用時には、常に柔らかいメロディー音を受動する。
【００１０】
請求項２の小物入れは、前記収納容器が、グランドピアノの拡張部に形成される前記小物類収納室と、絞り部に形成されるオルゴルール設置室とに区画されていることを特徴とする。
【００１１】
この構成により、透明プラスチックが持つ清潔感と、グランドピアノのイメージが醸し出す高級感および重量感と重なるようなイメージを、この小物入れに付与することができる。
【００１２】
請求項３の小物入れは、前記蓋体が、開かれると支持棒で、傾斜して固定され、前記オルゴール音を反射させる反響板を形成する。
【００１３】
この構成により、蓋体を開いたとき、この蓋体にオルゴールが奏でる音楽を反射させることができ、従って耳を澄ますことなく、使用者に比較大きな音量で音楽を聴取させることができる。
【考案の効果】
【００１４】
本考案にかかる小物入れは、収納容器および蓋体を透明プラスチックにより構成し、前記収納容器内を、透明プラスチックの隔成板により小物類の収納が可能な小物類収納室と、オルゴールを設置したオルゴール設置室とに隔成したものであるから、収納容器や蓋体がそれ自体優れた質感、透明感および高級感を具現し、収納されたオルゴールおよび宝飾品並びに身装品などの小物を外部から透視可能になる。また、内部の宝飾品を探し当てることが容易になるほか、収納容器や蓋体自体の品質劣化や変色、褪色の発生を回避することができ、飽きずに半永久的に使用が可能になる。
【考案を実施するための最良の形態】
【００１５】
以下、本考案に係る小物入れの実施形態を、図面を参照しながら説明する。
図１は、本考案の実施形態による小物入れを示す斜視図である。同図において、本考案の小物入れ１１は、全体として鍵盤とこの鍵盤に続く拡張部と、この拡張部を曲線で絞った絞り部で形成されるグランドピアノの形態を構成している。また、この小物入れ１１は、収納容器１２および蓋体１３から構成されている。
【００１６】
これらの収納容器１２および蓋体１３は、アクリル系樹脂などの硬質の透明プラスチックからなり、それぞれが射出成型による一体成形品として、あるいは複数の透明プラスチック板の張り合わせ品として得られる。
【００１７】
前記収納容器１２は、グランドピアノの形態に似た箱状をなし、内部が透明の隔成板２９によって小物類収納室１４およびオルゴール設置室１５に隔成されている。すなわち、前記収納容器１２は、グランドピアノの拡張部に形成される前記小物類収納室１４と、絞り部に形成されるオルゴルール設置室１５とに区画されている。
なお、収納容器１２を形成する周壁１６は、質量感および高級感が得られる適度な厚み（例えば、５．０ミリ以上）を有する。
【００１８】
周壁１６と隔成板２９とにより隔成された小物類収納室１４の底部には、指輪、ブレスレット、その他の身装品などが任意に収納可能であり、オルゴール設置室１５の底部には、オルゴール１７が固定的に設置される。なお、これらの各室１４、１５の底部も透明プラスチックからなる。
【００１９】
また、このグランドピアノ型の収納容器１２の前部（図１中、左端部）には、左右両端に略三角形の支持ブラケット１８が一体に設けられている。収納容器１２前部の各ブラケット１８間には、グランドピアノのキーボードに似せた水平板部１９が突設されている。
この水平板部１９も前記周壁１６およびブラケット１８とともに、一体形成されている。なお、この水平板部１９には、白鍵および黒鍵に似た形状を表現する凹凸模様２０が施されている。
【００２０】
前記各室１４、１５を形成する底板下面には、収納容器１２を机上やテーブル上に安定に水平支持する３本の等長の脚棒２１が一体に突設されている。この脚棒２１も、前記収納容器１２と同一の透明プラスチックからなる。
【００２１】
前記小物類収納室１４隅部の底部には、後述の支持棒２４の下端部を支持する支持片２２が突設されている。この支持片２２の上面には、図２および図３に示すように、支持棒２４の下端を安定支持する円弧状切欠２３が設けられている。なお、この切欠２３は、必要に応じ円弧状以外の種々の形態とすることができる。
【００２２】
前記支持棒２４の前記下端部には、この支持棒２４に対し直交する方向にＴ字上に突設された係止棒２４ａが設けられ、支持棒２４の前記下端部が前記切欠２３に係止された際に、この切欠２３から容易に滑り落ちないようになっている。なお、この支持棒２４は、係止棒２４ａとともに透明プラスチックからなる。
【００２３】
さらに、前記支持棒２４の上端部は、前記蓋体１３の下面に設けた係止孔２５に係脱可能な先端形状をなす。この支持棒２４は、全体としてＴ字形の棒体であり、蓋体１３を閉じている場合には、その支持棒２４の上下端を前記切欠２３および係止孔２５から外して小物類収納室１４内に収納しておくことができる。
【００２４】
一方、グランドピアノの大天井のような形状の蓋体１３を開放し、この開放状態を保持する場合には、前記のように、支持棒２４の下端を支持片２２の切欠２３に係止させ、上端を蓋体１３に形成された係止孔２４に挿し込む。
【００２５】
これにより、小物類収納室１４内の宝石や身装品を取り出すことができるとともに、オルゴール設置室１５内のオルゴール１７の動きを見ることができる。また、オルゴール１７の動作中は、このオルゴール１７が発生する音楽を、蓋体１３の下面に反射させて、使用者に比較的大きなレベルで聴取させることができる。
【００２６】
一方、前記蓋体１３は、一側縁部が収納容器１２の周壁１６に埋設した一対のヒンジ軸２６に回転自在に支持されている。すなわち、前記周壁部１６に形成された切欠部２７の一対の対向端２８に、前記ヒンジ軸２６の一端が埋設され、これらの他端に、前記蓋体１３の一側縁部が回転自在に支持されている。このため、これらのヒンジ軸２６を中心として、蓋体１３が収納容器１２の開口部を開閉可能にしている。
【００２７】
前記オルゴール１７は、円筒状収納容器で被われた駆動源としてのゼンマイ部３１と、ブロック３２に取り付けられて、所定の音階に調律された振動板３３の振動弁と、これらの振動弁を弾くピン３４を周面に有する回転ドラム３５と、この回転ドラム３５の回転を増速して伝達する増速ギヤ列および制動部材（いずれも、図示省略）とを備える。
【００２８】
前記ブロック３２付近には、蓋体１３の開閉によって出入され、回転ドラム３５を回転または停止させる制御棒３６が突設されている。なお、オルゴール１７を収納するオルゴール設置室１５は、オルゴール１７の上方を被う天板３７により塞がれている。
【００２９】
前記制御棒３６は、この天板３７に設けた小孔（図示省略）から上方へ、出入可能に突出している。この天板３７もまた、前記同様のプラスチックの透明板からなり、収納容器１２の成形後に接着剤を用いて一体に接合されている。
【００３０】
このような構成の小物入れにあっては、支持棒２４は、指輪や身装品などとともに小物類収納室１４内に収納される。この収納状態にあっては、支持棒２４は自身が透明であるため、収納容器１２の外からほとんど目立たない。
一方、指輪などは、収納容器１２の外から容易に透視によって確認でき、従って、蓋体１３を開いて収納容器１２内の目的の指輪などを速やか、かつ容易に収納容器１２外へ取り出すことができる。
【００３１】
また、蓋体１３を開けた際に、前記支持棒２４の下端を支持片２４の切欠２３に係止し、上端を蓋体１３側の前記係止孔２５に嵌合することで、蓋体１３の解放状態が安定的に保持される。
【００３２】
このとき、蓋体１３の解放動作に従って、前記制御棒３６が所定量上昇する。このため、回転ドラム３５の回転規制が解除となり、ゼンマイ部３１による回転力が回転ドラム３５に伝えられる。また、この回転ドラム３５は、ゼンマイが一瞬にして解けるのを防止する前記制動部材の作用を受けて、所定速度で回転する。
【００３３】
この回転ドラム３５の回転により、その周面にある多数のピン３４が各振動弁を弾き、振動音がメロディーとなってオルゴール設置室１５の外へ放出される。なお、この音は、解放中の蓋体１３の下面で反射されて拡声され、周辺に放音される。このため、離れた位置からもその音を聞き取ることが容易になる。
【００３４】
以上のように、本実施形態によれば、収納容器１２および蓋体１３が透明プラスチックからなり、前記収納容器１２内が、透明プラスチックの隔成板２９により小物類の収納が可能な小物類収納室１４と、オルゴールを設置したオルゴール設置室１５に隔成されてなることにより、厚みを持つ透明プラスチックの収納容器１２や蓋体１３が優れた質感、透明感および高級感を具現するとともに、オルゴール１７とともに内部の宝飾品などを外部から容易に透視でき、従って、目的の宝飾品等を探し当てることが容易になる。また、収納容器１２や蓋体１３自体の品質劣化や変色、褪色の発生がなく、半永久的使用が可能になるものである。
【産業上の利用可能性】
【００３５】
本考案にかかる小物入れは、収納容器や蓋体が優れた質感、透明感および高級感を具現するとともに、オルゴールとともに内部の宝飾品などを外部から容易に透視可能にし、従って、目的の宝飾品等を探し当てることが容易になるという効果を有し、収納容器に対し蓋体を開閉自在に取り付けた小物入れ等に有用である。
【図面の簡単な説明】
【００３６】
【図１】本考案の実施形態による小物入れを示す斜視図である。
【図２】図１における支持片と支持棒との支持構造を示す側面図である。
【図３】図１における支持片と支持棒との支持構造を示す一部の断面図である。
【符号の説明】
【００３７】
１１…小物入れ，１２…収納容器，１３…蓋体，１４…小物類収納室，１５…オルゴール設置室，１６…周壁，１７…オルゴール，１９…水平板部，２１…脚棒，２２…支持片，２３…支持棒，２９…隔成板
【図１】
0003118909.tif 000003
【図２】
0003118909.tif 000004
【図３】
0003118909.tif 000005